(57)【特許請求の範囲】
【請求項１】
プリンタとスキャナとに接続されて使用されるコピー制御装置であって、
起動時と他の手段から指示された時とに、接続されているスキャナが、原稿サイズを検出する原稿サイズ検出機能を有する第１種スキャナ，前記原稿サイズ検出機能を有さない第２種スキャナのいずれであるかについての判別を行なう判別手段と、
接続されているスキャナの原稿サイズ検出機能を利用するコピー条件の入力が可能な第１種操作画面，或いは，当該コピー条件の入力が不可能な第２種操作画面を表示することにより、操作者にコピー条件とコピー開始指示とを入力させる手段であると共に、前記判別手段による，もっとも最近の判別結果に応じた種類の操作画面を表示する手段であるユーザインタフェース手段と、
前記ユーザインタフェース手段に対して操作者が入力したコピー条件でのコピーが行われるように、前記スキャナと前記プリンタとを制御するためのコピー制御手段と、
前記ユーザインタフェース手段に対して前記コピー開始指示が入力されたときに、前記判別手段を動作させ、前記コピー開始指示の入力時点において前記ユーザインタフェース手段が表示していた操作画面の種類が、前記判別手段による今回の判別結果に応じたものであった場合には、前記コピー制御手段の動作を開始させ、そうでなかった場合には、前記コピー制御手段の動作を開始させることなく、前記ユーザインタフェース手段に、接続されているスキャナの種類が変わっていることを操作者に知らせるための画面を表示させてから、前記判別手段による今回の判別結果に応じた種類の操作画面を表示させるスキャナ種類確認手段
とを備えることを特徴とするコピー制御装置。
【請求項２】
前記ユーザインタフェース手段は、
操作者によって入力されたコピー条件を保存する保存機能と、
この保存機能により保存されている幾つかのコピー条件から１つのコピー条件を操作者に選択させるための選択機能と、
この選択機能を利用して操作者が選択したコピー条件でのコピーが、前記判別手段による，もっとも最近の判別結果が示している種類のスキャナを利用して行えるものであるか否かを判断し、そうであった場合には、操作者が選択したコピー条件を、そのまま、当該操作者が入力したコピー条件として取り扱い、そうでなかった場合には、操作者が選択したコピー条件を、当該スキャナを利用して行えるコピーの条件を示すものに変換した上で、当該操作者が入力したコピー条件として取り扱うコピー条件入力用機能
とを、さらに、有する
ことを特徴とする請求項１記載のコピー制御装置。
【請求項３】
スキャナと接続されて使用されるスキャナ制御装置であって、
起動時と他の手段から指示された時とに、接続されているスキャナが、原稿サイズを検出する原稿サイズ検出機能を有する第１種スキャナ，前記原稿サイズ検出機能を有さない第２種スキャナのいずれであるかについての判別を行なう判別手段と、
接続されているスキャナの原稿サイズ検出機能を利用する処理条件を設定可能な第１種操作画面，或いは，当該処理条件の入力が不可能な第２種操作画面を表示することにより、操作者に処理条件と処理開始指示とを入力させる手段であると共に、前記判別手段による，もっとも最近の判別結果に応じた種類の操作画面を表示する手段であるユーザインタフェース手段と、
前記ユーザインタフェース手段に対して操作者が入力した処理条件での処理が行われるように、前記スキャナを制御するためのスキャナ制御手段と、
前記ユーザインタフェース手段に対して前記処理開始指示が入力されたときに、前記判別手段を動作させ、前記処理開始指示の入力時点において前記ユーザインタフェース手段が表示していた操作画面の種類が、前記判別手段による今回の判別結果に応じたものであった場合には、前記スキャナ制御手段の動作を開始させ、そうでなかった場合には、前記スキャナ制御手段の動作を開始させることなく、前記ユーザインタフェース手段に、接続されているスキャナの種類が変わっていることを操作者に知らせるための画面を表示させてから、前記判別手段による今回の判別結果に応じた種類の操作画面を表示させるスキャナ種類確認手段
とを備えることを特徴とするスキャナ制御装置。
【請求項４】
前記ユーザインタフェース手段は、
操作者によって入力された処理条件を保存する保存機能と、
この保存機能により保存されている幾つかの処理条件から１つの処理条件を操作者に選択させるための選択機能と、
この選択機能を利用して操作者が選択した処理条件での制御処理が、前記判別手段による，もっとも最近の判別結果が示している種類のスキャナを利用して行えるものであるか否かを判断し、そうであった場合には、操作者が選択した処理条件を、そのまま、当該操作者が入力した処理条件として取り扱い、そうでなかった場合には、操作者が選択した処理条件を、当該スキャナを利用して行えるコピーの条件を示すものに変換した上で、当該操作者が入力した処理条件として取り扱う処理条件入力用機能
とを、さらに、有する
ことを特徴とする請求項３記載のスキャナ制御装置。
【発明の詳細な説明】
【０００１】
【発明の属する技術分野】
本発明は、スキャナを制御するためのスキャナ制御装置と、スキャナとプリンタとを制御してコピーを行なうためのコピー制御装置とに、関する。
【０００２】
【従来の技術】
周知のように、スキャナ及びプリンタと組み合わせることにより、専用のコピー機と同様の外観及び機能を有するコピーシステムを構築できる装置（以下、コピー制御装置と表記する）として、原稿サイズ自動検知機構を有するスキャナと組み合わされるべきコピー制御装置と、原稿サイズ自動検知機構を有さないスキャナと組み合わされるべきコピー制御装置とが、考案されている。このように、原稿サイズ自動検知機構を有するスキャナ用のコピー制御装置と、原稿サイズ自動検知機構を有さないスキャナ用のコピー制御装置とが、別途、考案されているのは、組み合わされるスキャナが原稿サイズ自動検知機構を有するものであるか否かによって、可能なコピー制御の内容と適切なユーザインタフェースとが異なっているためである。
【０００３】
具体的には、スキャナが原稿サイズ自動検知機構を有している場合には、当該機能を利用して自動用紙コピー（原稿サイズ等に基づき出力用紙が自動的に決定されるコピー）や自動倍率コピー（原稿サイズ等に基づきコピー倍率が自動的に決定されるコピー）を行なえることになるので、原稿サイズ自動検知機構を有するスキャナ用のコピー制御装置は、自動用紙コピーや自動倍率コピーの実行指示をユーザが出せる操作画面を表示するように、かつ、自動用紙コピーや自動倍率コピーのための制御を行なえるように、構成されている。そして、原稿サイズ自動検知機構を有さないスキャナ用のコピー制御装置は、自動用紙コピーや自動倍率コピーの実行指示をユーザが出せない操作画面を表示するように、構成されている。
【０００４】
【発明が解決しようとする課題】
上記したような２種のコピー制御装置を販売していたのでは、大量生産によるコスト低下が図れないことになる。また、コピー制御装置別にサポート体制を整えなければならないことにもなる。
【０００５】
また、原稿サイズ自動検知機構を有さないスキャナ用の既存のコピー制御装置は、ユーザにとっては、発展性の乏しい装置となっていた。何故ならば、当該コピー制御装置を所有しているユーザが、スキャナを原稿サイズ自動検知機構を有するもの（こちらの方がスキャンが高速に行なえる）に変えても、自動用紙コピーや自動倍率コピーを行なえるようにはならないからである。また、原稿サイズ自動検知機構を有するスキャナ用の既存のコピー制御装置は、原稿サイズ自動検知機構を有さないスキャナも一応制御できるように構成されてはいるが、このコピー制御装置と原稿サイズ自動検知機構を有さないスキャナとを組み合わしても、操作性の良いコピーシステムを構築することは出来ない。何故ならば、この場合、実際には自動用紙コピーや自動倍率コピーが行なえないにも拘わらず、ユーザが、自動用紙コピーや自動倍率コピーの実行を指示できてしまうことになる（ユーザが、自動用紙コピーや自動倍率コピーの実行を指示した際には、コピーが開始されずに、原稿サイズを設定させるための画面が表示される）からである。
【０００６】
本発明は、このような現状を鑑みなされたものであり、本発明の課題は、原稿サイズ自動検知機構を有するスキャナと原稿サイズ自動検知機構を有さないスキャナのいずれと接続されても、操作性が良いシステムを構築できるコピー制御装置、スキャナ制御装置を、提供することにある。
【０００７】
【課題を解決するための手段】
上記課題を解決するために、本発明では、プリンタとスキャナとに接続されて使用されるコピー制御装置を、起動時と他の手段から指示された時とに、接続されているスキャナが、原稿サイズを検出する原稿サイズ検出機能を有する第１種スキャナ，原稿サイズ検出機能を有さない第２種スキャナのいずれであるかについての判別を行なう判別手段と、接続されているスキャナの原稿サイズ検出機能を利用するコピー条件の入力が可能な第１種操作画面，或いは，当該コピー条件の入力が不可能な第２種操作画面を表示することにより、操作者にコピー条件とコピー開始指示とを入力させる手段であると共に、判別手段による，もっとも最近の判別結果に応じた種類の操作画面を表示する手段であるユーザインタフェース手段と、ユーザインタフェース手段に対して操作者が入力したコピー条件でのコピーが行われるように、スキャナとプリンタとを制御するためのコピー制御手段と、ユーザインタフェース手段に対してコピー開始指示が入力されたときに、判別手段を動作させ、コピー開始指示の入力時点においてユーザインタフェース手段が表示していた操作画面の種類が、判別手段による今回の判別結果に応じたものであった場合には、コピー制御手段の動作を開始させ、そうでなかった場合には、コピー制御手段の動作を開始させることなく、ユーザインタフェース手段に、接続されているスキャナの種類が変わっていることを操作者に知らせるための画面を表示させてから、判別手段による今回の判別結果に応じた種類の操作画面を表示させるスキャナ種類確認手段とを備えるものとする。
【０００８】
このコピー制御装置によれば、ユーザから指示を得るための画面の内容が、スキャナが原稿サイズを検出する機能を有するものであるか否かによって自動的に変更されるので、本コピー制御装置を用いれば、コピー制御装置に接続するスキャナを、原稿サイズ自動検知機構を有するスキャナ、原稿サイズ自動検知機構を有さないスキャナのいずれとした場合にも、操作性が良いコピーシステムを実現できることになる。
【０００９】
本発明のコピー制御装置を実現する際には、ユーザインタフェース手段として、操作者によって入力されたコピー条件を保存する保存機能と、この保存機能により保存されている幾つかのコピー条件から１つのコピー条件を操作者に選択させるための選択機能と、この選択機能を利用して操作者が選択したコピー条件でのコピーが、判別手段による，もっとも最近の判別結果が示している種類のスキャナを利用して行えるものであるか否かを判断し、そうであった場合には、操作者が選択したコピー条件を、そのまま、当該操作者が入力したコピー条件として取り扱い、そうでなかった場合には、操作者が選択したコピー条件を、当該スキャナを利用して行えるコピーの条件を示すものに変換した上で、当該操作者が入力したコピー条件として取り扱うコピー条件入力用機能とを、さらに、有する手段を採用しておくことが、出来る。
【００１０】
このようなユーザインタフェース手段を採用してコピー制御装置を実現しておけば、原稿サイズを検出する機能を有するスキャナに関して操作者から得られた指示を示す指示情報と、原稿サイズを検出する機能を有さないスキャナに関して操作者から得られた指示を示す指示情報とを、別途記憶する構成を採用した場合よりも、指示情報の記憶に必要とされる記憶容量が少なくて済むことになる。
【００１１】
また、本発明のスキャナ制御装置は、スキャナと接続されて使用される装置であって、起動時と他の手段から指示された時とに、接続されているスキャナが、原稿サイズを検出する原稿サイズ検出機能を有する第１種スキャナ，原稿サイズ検出機能を有さない第２種スキャナのいずれであるかについての判別を行なう判別手段と、接続されているスキャナの原稿サイズ検出機能を利用する処理条件を設定可能な第１種操作画面，或いは，当該処理条件の入力が不可能な第２種操作画面を表示することにより、操作者に処理条件と処理開始指示とを入力させる手段であると共に、判別手段による，もっとも最近の判別結果に応じた種類の操作画面を表示する手段であるユーザインタフェース手段と、ユーザインタフェース手段に対して操作者が入力した処理条件での処理が行われるように、スキャナを制御するためのスキャナ制御手段と、ユーザインタフェース手段に対して処理開始指示が入力されたときに、判別手段を動作させ、処理開始指示の入力時点においてユーザインタフェース手段が表示していた操作画面の種類が、判別手段による今回の判別結果に応じたものであった場合には、スキャナ制御手段の動作を開始させ、そうでなかった場合には、スキャナ制御手段の動作を開始させることなく、ユーザインタフェース手段に、接続されているスキャナの種類が変わっていることを操作者に知らせるための画面を表示させてから、判別手段による今回の判別結果に応じた種類の操作画面を表示させるスキャナ種類確認手段とを備える。
【００１２】
このスキャナ制御装置によれば、ユーザから指示を得るための画面の内容が、スキャナが原稿サイズを検出する機能を有するものであるか否かによって自動的に変更されるので、本スキャナ制御装置を用いれば、スキャナ制御装置に接続するスキャナを、原稿サイズ自動検知機構を有するスキャナ、原稿サイズ自動検知機構を有さないスキャナのいずれとした場合にも、操作性が良いスキャナシステムを実現できることになる。
【００１３】
本発明のスキャナ制御装置を実現する際には、本発明のコピー制御装置を実現する場合と同様に、ユーザインタフェース手段として、操作者によって入力された処理条件を保存する保存機能と、この保存機能により保存されている幾つかの処理条件から１つの処理条件を操作者に選択させるための選択機能と、この選択機能を利用して操作者が選択した処理条件での制御処理が、判別手段による，もっとも最近の判別結果が示している種類のスキャナを利用して行えるものであるか否かを判断し、そうであった場合には、操作者が選択した処理条件を、そのまま、当該操作者が入力した処理条件として取り扱い、そうでなかった場合には、操作者が選択した処理条件を、当該スキャナを利用して行えるコピーの条件を示すものに変換した上で、当該操作者が入力した処理条件として取り扱う処理条件入力用機能とを、さらに、有する手段を採用しておくことが、出来る。
【００１４】
【発明の実施の形態】
以下、本発明の実施の形態を、図面を参照して詳細に説明する。
【００１５】
まず、図１を用いて、本発明の一実施形態に係るコピー制御装置の概要を、説明する。
【００１６】
本実施形態に係るコピー制御装置１１は、スキャナ１２とプリンタ１３と組み合わせることにより、図１（Ａ）に示したような外観を有するコピーシステム１０を構築するための装置である。また、コピー制御装置１１は、専用のコピー機の操作パネル部分のような形状を有する装置となっており、その上面には、図１（Ｂ）に示したように、操作者とのインタフェースのための手段として、スタートボタン３２ａ，ストップボタン３２ｂ，ジョブメモリボタン３２ｃ，テンキー３２ｄ等の押しボタンスイッチからなるテンキー部３２、タッチスクリーン３１、発光ダイオード３３等が、設けられている。
【００１７】
そして、本コピー制御装置１１は、スキャナ１２として、原稿サイズ自動検知機構（セットされている原稿のサイズを高速に（原稿をスキャンせずに）検出するための機構）を有している何機種かのスキャナのいずれか、或いは、原稿サイズ自動検知機構を有していない何機種かのスキャナのいずれかを接続できるとともに、原稿サイズ自動検知機構を有するスキャナ１２と組み合わされた場合には、操作者が、自動用紙コピー、自動倍率コピーを行なえるコピーシステム１０を構築できる装置となっている。なお、自動用紙コピーとは、スキャナ１２にセットされている原稿のサイズが原稿サイズ自動検知機構により検出されて、当該サイズと等しいサイズ（或いは、当該サイズと指定されているコピー倍率とに応じたサイズ）の出力用紙が自動的に選択されるコピー（出力用紙サイズを操作者が指定する必要のないコピー）のことである。また、自動倍率コピーとは、スキャナ１２にセットされている原稿のサイズが原稿サイズ自動検知機構により検出されて、原稿の，指定されている出力用紙サイズのコピーを得るために必要なコピー倍率が自動的に算出されるコピー（コピー倍率を操作者が指定する必要のないコピー）のことである。
【００１８】
以上のことを前提として、以下、本コピー制御装置１１の構成及び機能を、具体的に説明する。
【００１９】
図２に、コピー制御装置１１のハードウェア構成を示す。
【００２０】
図示したように、コピー制御装置１１は、既に説明したタッチスクリーン３１（液晶ディスプレイ（ＬＣＤ）３５に透明な接触位置センサ３６を重ねたもの），テンキー部３２，複数の発光ダイオード（ＬＥＤ）３３に加えて、ＣＰＵ２１，ＲＯＭ２２，ＲＡＭ２３，通信制御回路２４，ＥＥＰＲＯＭ２５，ＬＣＤ制御回路２６，入力インタフェース回路（入力Ｉ／Ｆ）２７，ＬＥＤ駆動回路２８を、備えている。
【００２１】
ＣＰＵ２１は、コピー制御装置１１内の各部を統合的に制御する制御回路である。ＲＯＭ２２は、ＣＰＵ２１の動作手順を規定するプログラムやＣＰＵ２１が利用するデータが記録された不揮発性メモリである。ＲＡＭ２３は、ＣＰＵ２１（プログラム）が各種の情報を一時的に記憶しておくために使用するメモリである。通信制御回路２４は、ＣＰＵ２１が、スキャナ１２或いはプリンタ１３との間で情報交換（スキャナ１２或いはプリンタ１３へのコマンドの送信、スキャナ１２からのイメージデータの受信、プリンタ１３への印刷データの送信）を行なうために使用する回路である。ＬＣＤ制御回路２６は、タッチスクリーン３１の構成要素であるＬＣＤ３５に、ＣＰＵ２１から指示された内容の画像（画面）を表示させる回路である。入力インタフェース回路２７は、操作者がテンキー部３２或いはタッチスクリーン３１の構成要素である接触位置センサ３６に対して行った操作内容を、ＣＰＵ２１に通知する回路である。ＬＥＤ駆動回路２８は、ＣＰＵ２１からの指示に従って、各ＬＥＤ３３のＯＮ／ＯＦＦ制御を行う回路である。
【００２２】
ＥＥＰＲＯＭ２５は、起動時用コピー条件情報、ユーザ登録コピー条件情報等の記憶に用いられている書換可能な不揮発性メモリである。このＥＥＰＲＯＭ２５に記憶される起動時用コピー条件情報、ユーザ登録コピー条件情報の具体的な更新／利用手順については後述するが、起動時用コピー条件情報、ユーザ登録コピー条件情報は、“出力用紙”，“コピー倍率”，“部数”等に関する各種コピー条件項目値からなる同構成の情報となっている。また、コピー制御装置１１は、このＥＥＰＲＯＭ２５の所定の記憶領域に１個の起動時用コピー条件情報が記憶されており、それぞれ、ユーザ登録コピー条件情報を記憶するための８個の記憶領域（ユーザ登録コピー条件情報が記憶されていないもの）が、確保されている状態で、出荷される。
【００２３】
そして、コピー制御装置１１は、電源が投入された場合、ＣＰＵ２１によって、図３に示した手順の処理が行なわれるように、構成されている。
【００２４】
すなわち、ＣＰＵ２１は、まず、タッチスクリーン３１（ＬＣＤ３５）に接続機器確認中画面を表示させるための処理を行なう（ステップＳ１０１）。このステップの処理により表示される接続機器確認中画面は、図４に示したように、スキャナ１２及びプリンタ１３のチェックが開始されたこと（コピー制御装置１１が動作を開始したこと）を操作者に通知するためだけの画面である。
【００２５】
次いで、ＣＰＵ２１は、コピー制御装置１１に適正な（コピー制御装置１１の制御対象となっている）プリンタ１３及びスキャナ１２が接続されていることを実際に確認するための接続機器確認処理（ステップＳ１０２）を開始する。
【００２６】
この接続機器確認処理時、ＣＰＵ２１は、まず、プリンタ１３から仕様情報（機種名等）の取得を試み、仕様情報が取得できなかった場合（通信エラーが発生した場合）には、接続機器の確認に失敗したものとして接続機器確認処理を終了する。一方、仕様情報が取得できた場合、ＣＰＵ２１は、その仕様情報に基づき、プリンタ１３が適正な機器であるか否かを判別する。そして、ＣＰＵ２１は、プリンタ１３が適正な機器であることが確認できなかった場合（プリンタ１３が適正な機器でないことが確認できた場合）には、接続機器の確認に失敗したものとして接続機器確認処理を終了する。一方、プリンタ１３が適正な機器であることが確認できた場合には、スキャナ１２が適正な機器であることを確認するために、上記したものと同様の処理をスキャナ１２に対して行なう。そして、スキャナ１２が適正な機器であることが確認できた場合に、ＣＰＵ２１は、接続機器の確認に成功したものとして接続機器確認処理を終了する。
【００２７】
接続機器確認処理にて接続機器の確認に失敗した場合（ステップＳ１０３；ＮＯ）、ＣＰＵ２１は、接続機器（プリンタ１３、スキャナ１２）に関してどのような問題があるのかが示されたエラー通知画面をタッチスクリーン３１に表示させるための処理（ステップＳ１０４）を行なう。
【００２８】
エラー通知画面としては、プリンタ１３との間で通信が行なえなかったことを操作者に知らせるためのエラー通知画面，プリンタ１３が適正なものでないことを操作者に知らせるためのエラー通知画面，スキャナ１２との間で通信が行なえなかったことを操作者に知らせるためのエラー通知画面，及び，スキャナ１２が適正なものでないことを操作者に知らせるためのエラー通知画面が、用意されている。また、各エラー通知画面は、図５に例示したように、エラーを解除するために必要な処理を行なった後にストップボタン３２ｂを押下すべきことを操作者に指示するものとなっている。なお、この図５に示したエラー通知画面は、スキャナ１２との間で通信が行なえなかったときに表示されるものである。
【００２９】
このようなエラー通知画面をタッチスクリーン３１に表示させたＣＰＵ２１は、ストップボタン３２ｂが押下されるのを待機（図３：ステップＳ１０５）し、ストップボタンが押下されたとき（ステップＳ１０５；ＹＥＳ）に、ステップＳ１０１からの処理を再び実行する。
【００３０】
また、ＣＰＵ２１は、接続機器の確認に成功した場合（ステップＳ１０３；ＹＥＳ）には、コピー基本操作画面表示処理（ステップＳ１０６）を実行する。
【００３１】
図６に、コピー基本操作画面表示処理の流れ図を示す。
【００３２】
図示したように、コピー基本操作画面表示処理時、ＣＰＵ２１は、まず、ＥＥＰＲＯＭ２５から起動時コピー条件情報を読み出し、その起動時コピー条件情報を現コピー条件情報としてＲＡＭ２３上に記憶する（ステップＳ２０１）。
【００３３】
次いで、ＣＰＵ２１は、接続機器確認処理にて既にスキャナ１２から取得している仕様情報に基づき、スキャナ１２が原稿サイズ自動検知機構を有するものであるか否かを判断する（ステップＳ２０２）。そして、スキャナ１２が原稿サイズ自動検知機構を有するものであった場合（ステップＳ２０２；ＹＥＳ）には、現コピー条件情報にて規定されているコピー条件が示されているとともに、操作者が、“出力用紙”或いは“コピー倍率”として“自動”を設定可能なコピー基本操作画面をタッチスクリーン３１上に表示する処理（ステップＳ２０６）を行なう。
【００３４】
このステップＳ２０６で表示されるコピー基本操作画面（以下、第１種コピー基本操作画面と表記する）の詳細については後述するが、“出力用紙”とは、コピー時にプリンタ１３に排出させる用紙を規定するコピー条件項目のことであり、コピー制御装置１１は、この“出力用紙”が“自動”とされている状態でスタートボタン３２ａが押下されたときに、自動用紙コピーを開始する。また、“コピー倍率”とは、コピー時の倍率を規定するコピー条件項目のことであり、コピー制御装置１１は、この“コピー倍率”が“自動”とされている状態でスタートボタン３２ａが押下されたときに、自動倍率コピーを開始する。
【００３５】
そして、第１種コピー基本操作画面の表示を行なったＣＰＵ２１は、コピー基本操作画面表示処理を終了する。
【００３６】
これに対して、スキャナ１２が原稿サイズ自動検知機構を有さないものであった場合（ステップＳ２０２；ＮＯ）、ＣＰＵ２１は、現コピー条件情報（ＲＡＭ２３上に読み出されている起動時コピー条件情報）が、“出力用紙”或いは“コピー倍率”として“自動”が設定されているものであるか否かを判断する（ステップＳ２０３）。
【００３７】
現コピー条件情報がそのようなものとなっていた場合（ステップＳ２０３；ＹＥＳ）、ＣＰＵ２１は、“自動”が設定されているコピー条件項目（“出力用紙”或いは“コピー倍率”）の値がデフォルト値となるように現コピー条件情報を書き換える（ステップＳ２０４）。なお、本コピー制御装置１１の“出力用紙”、“コピー倍率”に関するデフォルト値は、それぞれ、“カセット１”、“等倍”である。
【００３８】
そして、ＣＰＵ２１は、現コピー条件情報にて規定されているコピー条件が示されているとともに、操作者が、“出力用紙”或いは“コピー倍率”として“自動”を設定することが出来ないコピー基本操作画面（以下、第２種コピー基本操作画面と表記する；詳細は後述）をタッチスクリーン３１上に表示する処理（ステップＳ２０５）を行なってから、コピー基本操作画面表示処理を終了する。
【００３９】
一方、現コピー条件情報（ＲＡＭ２３上に読み出されている起動時コピー条件情報）が、“出力用紙”或いは“コピー倍率”として“自動”が設定されているものでなかった場合（ステップＳ２０３；ＮＯ）、ＣＰＵ２１は、ステップＳ２０４の処理を行なうことなく、ステップＳ２０５の処理を行なう。そして、ＣＰＵ２１は、コピー基本操作画面表示処理を終了する。
【００４０】
コピー基本操作画面表示処理を終えたＣＰＵ２１は、図３に示してあるように、タッチスクリーン３１（接触位置センサ３６）或いはテンキー部３２が操作されるのを待機する（ステップＳ１０７）。そして、ＣＰＵ２１は、スタートボタン３２ａの押下とは異なる操作がなされた場合（ステップＳ１０８；その他）には、ステップＳ１０９にて、なされた操作に応じたものに、タッチスクリーン３１の表示内容及び現コピー条件情報（或いは、タッチスクリーン３１の表示内容のみ）を変更する処理を行なった後、再び、ステップＳ１０７にて、タッチスクリーン３１或いはテンキー部３２が操作されるのを待機する。
【００４１】
ここで、コピー基本操作画面表示処理によりタッチスクリーン３１上に表示される第１種、第２種コピー基本操作画面の説明と、各コピー基本操作画面の表示を行なった後に、ＣＰＵ２１が、ステップＳ１０７〜Ｓ１０９にて実行する処理の説明とを、行なうことにする。
【００４２】
コピー制御装置１１に原稿サイズ自動検知機構を有するスキャナ１２が接続されている状態では、コピー基本操作画面表示処理により、図７〜図９に示したような第１種コピー基本操作画面の表示が行なわれる。これらの第１種コピー基本操作画面のうち、図７に示した第１種コピー基本操作画面は、起動時コピー条件情報にて規定されている“出力用紙”、“コピー倍率”がそれぞれ、“自動”、“等倍”であるときに表示されるものである。また、図８に示した第１種コピー基本操作画面は、起動時コピー条件情報にて規定されている“出力用紙”、“コピー倍率”が、それぞれ、“カセット１”、“自動”であるときに表示されるものであり、図９に示した第１種コピー基本操作画面は、起動時コピー条件情報にて規定されている“出力用紙”、“コピー倍率”が、それぞれ、“カセット１”、“等倍”であるときに表示されるものである。
【００４３】
一方、コピー制御装置１１に原稿サイズ自動検知機構を有さないスキャナ１２が接続されている状態では、起動時コピー条件情報にて規定されている“出力用紙”、“コピー倍率”の組み合わせが、上記したいずれの組み合わせであった場合にも、コピー基本操作画面表示処理により、図１０に示した第２種コピー基本操作画面が、表示される。
【００４４】
すなわち、起動時コピー条件情報にて規定されている“出力用紙”、“コピー倍率”が、それぞれ、“自動”、“等倍”であり、原稿サイズ自動検知機構を有するスキャナ１２が接続されている状態で、コピー制御装置１１が起動された場合には、ステップＳ２０６の処理が実行されて、起動時コピー条件情報にて規定されているコピー条件がそのまま示された第１種コピー基本操作画面（図７）が表示される。一方、起動時コピー条件情報は上記したものと同じであるが、原稿サイズ自動検知機構を有さないスキャナ１２が接続されている状態で、コピー制御装置１１が起動された場合には、ステップＳ２０４の処理により、現コピー条件情報内の“出力用紙”が“カセット１”に変更された後に、その現コピー条件情報を用いてステップＳ２０５の処理が行なわれるので、図１０に示した第２種コピー基本操作画面が表示される。
【００４５】
また、起動時コピー条件情報にて規定されている“出力用紙”、“コピー倍率”が、それぞれ、“カセット１”、“自動”であり、原稿サイズ自動検知機構を有するスキャナ１２が接続されている状態で、コピー制御装置１１が起動された場合には、ステップＳ２０６の処理により、起動時コピー条件情報にて規定されているコピー条件がそのまま示されているとともに、“コピー倍率”を“等倍”に変更するための“等倍”ボタンを有する第１種コピー基本操作画面（図８）が表示される。
【００４６】
一方、起動時コピー条件情報は上記したものと同じであるが、原稿サイズ自動検知機構を有さないスキャナ１２が接続されている状態で、コピー制御装置１１が起動された場合には、ステップＳ２０４の処理にて“コピー倍率”が“等倍”に変更される結果として、起動時コピー条件情報内の“出力用紙”、“コピー倍率”が、それぞれ、“自動”、“等倍”である場合と同内容の第２種コピー基本操作画面（図１０）が表示される。
【００４７】
起動時コピー条件情報にて規定されている“出力用紙”、“コピー倍率”が、それぞれ、“カセット１”、“等倍”であり、原稿サイズ自動検知機構を有するスキャナ１２が接続されている状態で、コピー制御装置１１が起動された場合には、ステップＳ２０６の処理により、起動時コピー条件情報にて規定されているコピー条件がそのまま示されているとともに、“コピー倍率”を“自動”に変更するための“自動”ボタンを有する第１種コピー基本操作画面（図９）が表示される。
【００４８】
また、起動時コピー条件情報にて規定されている“出力用紙”、“コピー倍率”が、それぞれ、“カセット１”、“等倍”であり、原稿サイズ自動検知機構を有さないスキャナ１２が接続されている状態で、コピー制御装置１１が起動された場合には、ステップＳ２０４の処理が行われないので、起動時コピー条件情報にて規定されているコピー条件がそのまま示された第２種コピー基本操作画面（図１０）が表示される。
【００４９】
そして、ステップＳ１０７及びＳ１０８の処理にて、図９に示した第１種コピー基本操作画面上の“自動”ボタンの押下を検出した場合、ＣＰＵ２１は、ステップＳ１０９にて、図８に示した第１種コピー基本操作画面、すなわち、コピー倍率として“自動倍率”が選択されていることが示されているとともに、“自動”ボタンを有さず、かつ、“等倍”ボタンを有する第１種コピー基本操作画面をタッチスクリーン３１に表示させる処理を行なう。
【００５０】
図８に示した第１種コピー基本操作画面上の“等倍”ボタンの押下を検出した場合、ＣＰＵ２１は、ステップＳ１０９にて、図９に示した第１種コピー基本操作画面をタッチスクリーン３１に表示させる処理を行なう。
【００５１】
また、図７〜図９に示した第１種コピー基本操作画面上の“用紙選択”ボタンが押下された場合、ＣＰＵ２１は、ステップＳ１０９にて、図１１に示したような出力用紙選択画面（“自動用紙”ボタンを有する出力用紙選択画面）をタッチスクリーン３１に表示させるための処理を行なう。なお、この図に示した出力用紙選択画面は、図７に示したコピー基本操作画面上の“用紙選択”ボタンが押下された場合にＣＰＵ２１が表示するものであり、図８，９に示したコピー基本操作画面上の“用紙選択”ボタンが押下された場合、ＣＰＵ２１は、図１１にて、“自動用紙”となっている部分（“出力用紙”に関する現在の設定が示される部分；以下、出力用紙表示領域と表記する）に“Ａ４”，“カセット１”等が示された出力用紙選択画面を表示する。
【００５２】
そして、この出力用紙選択画面に設けられている“出力用紙”を選択するためのボタン（カセットを選択するための５つのボタンと手差しトレイを選択するためのボタンのいずれか）が押下された場合、ＣＰＵ２１は、ステップＳ１０９にて、図９に示したようなコピー基本操作画面、すなわち、出力用紙表示領域に、選択されたカセット或いは手差しトレイ及びそこにセットされている用紙の種類（サイズ及び向き）を示す情報が示されているとともに、“自動”ボタンを有する第１種コピー基本操作画面をタッチスクリーン３１に表示させるための処理を行なう。
【００５３】
また、図８，９に示した第１種コピー基本操作画面上の“用紙選択”ボタンの押下により表示された出力用紙選択画面（図１１参照）上の“自動用紙”ボタンが押下された場合、ＣＰＵ２１は、ステップＳ１０９にて、図７に示したような第１種コピー基本操作画面（出力用紙表示領域に、“自動用紙”が示され、“等倍”ボタン、“自動”ボタンを有さない第１種コピー基本操作画面）をタッチスクリーン３１に表示させる処理を行なう。
【００５４】
一方、図１０に示したコピー基本操作画面上の“用紙選択”ボタンが押下された場合、ＣＰＵ２１は、ステップＳ１０９にて、図１２に示したような出力用紙選択画面、すなわち、“自動用紙”ボタンを有さない出力用紙選択画面をタッチスクリーン３１に表示させる。そして、この出力用紙画面上の出力用紙を選択するためのボタンが押下されたことを検出した場合、ＣＰＵ２１は、ステップＳ１０９にて、出力用紙表示領域の表示内容を変更した第２種コピー基本操作画面をタッチスクリーン３１に表示させる処理を行なう。
【００５５】
また、テンキー部３２の構成要素であるメモリジョブボタン３２ｃ（図１（Ｂ）参照）が押下された場合、ＣＰＵ２１は、ステップＳ１０９にて、図１３に示したようなコピー条件登録・読出画面をタッチスクリーン３１に表示させる処理を行なう。
【００５６】
このコピー条件登録・読出画面は、第ｘ（ｘ＝１〜８）のユーザ登録コピー条件情報がＥＥＰＲＯＭ２５に記憶されていた場合には、点線枠Ｆｘ内の部分に、“ｘ登録済み”ボタンと“削除”ボタンと“確認”ボタンとが示され、そうでなかった場合には、“ｘ空  き”ボタンと“登録”ボタンと“確認ボタン”とが示される画面となっている。すなわち、メモリジョブボタン３２ｃが押下されたことを検出した場合、ＣＰＵ２１は、ＥＥＰＲＯＭ２５内のユーザ登録コピー条件情報の記憶状況に基づき、上記のようなボタン構成のコピー条件登録・読出画面を表示する。
【００５７】
コピー条件登録・読出画面内の“登録”ボタンは、第１種或いは第２種コピー基本操作画面等を操作することにより設定したコピー条件を登録しておきたい（コピー制御装置１１に記憶させておきたい）場合に、操作者が押下すべきボタンである。“登録”ボタンの左右に位置している“ｘ空  き”ボタン、“確認ボタン”は、いずれも、機能しない（押下しても何ら処理が行われない）ボタンである。
【００５８】
また、“削除”ボタンは、登録しておいたコピー条件を破棄したい場合に、操作者が押下すべきボタンである。“削除”ボタンの右隣に設けられている“確認”ボタンは、登録してあるコピー条件の内容を確認したい場合に、操作者が押下すべきボタンである。“ｘ登録済”ボタンは登録しておいたコピー条件を用いたコピーを行ないたい場合（登録しておいたコピー条件が示されたコピー基本操作画面を表示させたい場合）に、操作者が押下すべきボタンである。“戻る”ボタンは、コピー条件登録・読出画面の利用を終える際に操作者が押下すべきボタンである。
【００５９】
コピー条件登録・読出画面内の各ボタンが押下された場合、ＣＰＵ２１は、ステップＳ１０９にて、以下の処理を実行する。
【００６０】
“登録”ボタンが押下された場合、ＣＰＵ２１は、ＥＥＰＲＯＭ２５内の、押下された“登録”ボタンに対応づけられているユーザ登録コピー条件情報用の記憶領域に、現コピー条件情報を記憶するとともに、コピー条件登録・読出画面内の、押下された“登録”ボタンとその左右に位置している“ｘ空  き”ボタンと“確認ボタン”とを、“ｘ登録済”ボタンと“削除”ボタンと“確認”ボタンとに変更する処理を行なう。
【００６１】
また、“削除”ボタンが押下された場合、ＣＰＵ２１は、押下された“削除”ボタンに対応づけられているユーザ登録コピー条件情報記憶領域をクリアするとともに、コピー条件登録・読出画面内の、押下された“削除”ボタンとその左右に位置している“ｘ登録済”ボタンと“確認”ボタンとを、“ｘ空  き”ボタンと“登録”ボタンと“確認ボタン”とに変更する処理を行なう。
【００６２】
“確認”ボタンが押下された場合、ＣＰＵ２１は、ステップＳ２０９にて、押下された“確認”ボタンに対応付けられているユーザ登録コピー条件情報の内容を操作者が確認できる画面を表示する処理を行なう。
【００６３】
そして、“ｘ登録済”ボタンが押下された場合、ＣＰＵ２１は、ステップＳ２０９にて、ユーザ登録コピー条件読出処理を、実行する。このユーザ登録コピー条件読出処理は、ＥＥＰＲＯＭ２５から読み出されるコピー条件情報が、起動時コピー条件情報ではなく、押下された“ｘ登録済”ボタンに対応付けられているユーザ登録コピー条件情報である点を除けば、既に説明を行なったコピー基本操作画面表示処理（図６参照）と全く同じ処理となっている。
【００６４】
すなわち、コピー制御装置１１に原稿サイズ自動検知機構を有するスキャナ１２が接続されている状態で、このコピー条件登録・読出画面内の“ｘ登録済”ボタンが押下された場合、ＣＰＵ２１は、その“ｘ登録済”ボタンに応じた押ユーザ登録コピー条件情報にて規定されているコピー条件がそのまま示された第１種コピー基本操作画面を表示する。また、コピー制御装置１１に原稿サイズ自動検知機構を有するスキャナ１２が接続されている状態で、このコピー条件登録・読出画面内の“ｘ登録済”ボタンが押下された場合、ＣＰＵ２１は、その“ｘ登録済”ボタンに応じた押ユーザ登録コピー条件情報にて規定されているコピー条件が、そのまま、或いは、“自動”となっているコピー条件項目値がデフォルト値に変更された形で、示された第２種コピー基本操作画面を表示する。
【００６５】
図３に戻って、スタートボタン３２ａ押下後のＣＰＵ２１の動作を説明する。
【００６６】
スタートボタン３２ａが押下された場合（ステップＳ１０８；スタートボタン３２ａ押下）、ＣＰＵ２１は、ステップＳ１１０にて、既に説明したものと同じ接続機器確認処理を実行する。
【００６７】
そして、接続機器の確認に失敗した場合（ステップＳ１１１；確認失敗）、ＣＰＵ２１は、ステップＳ１０４からの処理を再び行なう。
【００６８】
また、接続機器の確認に成功した場合（ステップＳ１１１；ＹＥＳ）、ＣＰＵ２１は、現在表示中のコピー基本操作画面が現在のスキャナ１２に適したものであるか否かを判断する（ステップＳ１１２）。
【００６９】
そして、現在表示中のコピー基本操作画面が現在のスキャナ１２に適したものとなっていた場合（ステップＳ１１２；ＹＥＳ）、ＣＰＵ２１は、ステップＳ１１４にて、その時点における現コピー条件情報が示しているコピー条件でのコピーが行なわれるようにスキャナ１２及びプリンタ１３を制御するコピー制御処理を実行する。詳細説明は省略するが、このコピー制御処理時、ＣＰＵ２１は、スキャナ１２及びプリンタ１３を制御する処理を行なうとともに、タッチスクリーン３１にコピーの進捗状況を示す画面を表示させる処理も行なう。そして、ＣＰＵ２１は、現コピー条件情報が示しているコピー条件でのコピーが完了したときに、スタートボタン３２ａ押下前に表示していたコピー基本操作画面をタッチスクリーン３１に再表示させてコピー制御処理を終了し、再び、ステップＳ１０７にて、タッチスクリーン３１、テンキー部３２が操作されるのを待機する。
【００７０】
一方、現在表示中のコピー基本操作画面が現在のスキャナ１２に適したものとなっていないかった場合（ステップＳ１１２；ＮＯ）、ＣＰＵ２１は、スキャナ１２が変更されたため画面表示を変更することを操作者に知らせるための画面変更通知画面をタッチスクリーン３１に所定時間に渡って表示させる処理（ステップＳ１１３）を行なった後、ステップＳ１０６からの処理を実行することにより、コピー制御装置１１を、現在のスキャナ１２に応じたコピー基本操作画面がタッチスクリーン３１上に表示されている状態とする。
【００７１】
すなわち、前回、接続機器確認処理が実行されてから、スタートボタン３２ａが押下されるまでの間に、スキャナ１２が交換されていた場合、原稿サイズ自動検知機構を有するスキャナ１２がコピー制御装置１１に接続されているにも拘わらず、タッチスクリーン３１に第２種コピー基本操作画面が表示されていること、或いは、原稿サイズ自動検知機構を有さないスキャナ１２が接続されているのにも拘わらず、タッチスクリーン３１に第１種コピー基本操作画面が表示されていることが考えられる。そのような状態でスタートボタン３２ａが押下された場合（ステップＳ１１２；ＮＯ）、ＣＰＵ２１は、コピー制御処理を開始することなく、コピー基本操作画面を、接続されているスキャナ１２に応じたものに変更する処理を行なう。
【００７２】
以上、説明したように、本実施形態に係るコピー制御装置１１は、原稿サイズ自動検知機構を有するスキャナ１２が接続されている場合には、ユーザが自動用紙コピー、自動倍率コピーの実行指示を出せるコピー基本操作画面（第１種コピー基本操作画面）を表示し、原稿サイズ自動検知機構を有するスキャナ１２が接続されている場合には、ユーザが自動用紙コピー、自動倍率コピーの実行指示を出せないコピー基本操作画面（第２種コピー基本操作画面）を表示する。従って、本コピー制御装置１１を用いれば、コピー制御装置１１に、原稿サイズ自動検知機構を有するスキャナ１２、原稿サイズ自動検知機構を有さないスキャナ１２のいずれを接続した場合にも、操作性が良いコピーシステム１０を実現できることになる。
【００７３】
また、コピー制御装置１１は、起動時コピー条件情報、ユーザ登録コピー条件情報にて規定されているコピー条件が、そのまま、接続されているスキャナ１２に適用できないものであった場合には、当該コピー条件を適用可能なものに変換して提示するように構成されている。従って、本コピー制御装置１１は、起動時コピー条件情報及びユーザ登録コピー条件情報を、原稿サイズ自動検知機構を有するスキャナ１２と、原稿サイズ自動検知機構を有さないスキャナ１２とについて、別途、記憶する構成を採用した場合よりも、少ない記憶容量でコピー条件情報が記憶できる装置となっていると言うことが出来る。また、当該構成を採用したコピー制御装置１１は、スキャナ１２が原稿サイズ自動検知機構を有さないものから有するもの（或いはその逆）に交換されたとき、ユーザ登録コピー条件情報が全く登録されていない装置、すなわち、ユーザ登録コピー条件情報をユーザが再登録しなければならない装置として機能することになるが、コピー制御装置１１は、登録されているコピー条件を適用可能なものに変換して提示するように構成されているので、スキャナ１２の交換時に、ユーザ登録コピー条件情報の再登録が容易或いは不必要な装置となっていると言うことも出来る。
【００７４】
＜変形形態＞
上記したコピー制御装置１１は、各種の変形を行なうことが出来る。例えば、コピー制御装置１１は、１台のスキャナ１２と１台のプリンタ１３とに接続される装置であったが、コピー制御装置１１を、複数台のスキャナ１２と複数台のプリンタ１３とに接続でき、使用するスキャナ１２及びプリンタ１３を指定できる装置に変形しても良い。また、コピー基本操作画面の具体的な内容が上記したものと異なっていても良いことや、コピー制御装置１１で用いられている技術を、スキャナ１２を制御して原稿のデジタル化を行なうスキャナ制御装置（原稿を指定したサイズに自動的に拡縮してデジタル化を行なう機能を有するもの）に適用しても良いことなどは、当然である。
【００７５】
【発明の効果】
本発明のコピー制御装置、スキャナ制御装置を用いれば、原稿サイズ自動検知機構を有するスキャナと原稿サイズ自動検知機構を有さないスキャナのいずれを接続しても、操作性が良いシステムを実現できる。
【図面の簡単な説明】
【図１】本発明の一実施形態に係るコピー制御装置を用いて構築されるコピーシステムの外観図である。
【図２】実施形態に係るコピー制御装置のハードウェア構成図である。
【図３】コピー制御装置の全体的な動作手順を示した流れ図である。
【図４】コピー制御装置により表示される接続機器確認中画面の説明図である。
【図５】コピー制御装置により表示されるエラー通知画面の説明図である。
【図６】コピー制御装置にて実行されるコピー基本操作画面表示処理の流れ図である。
【図７】原稿サイズ自動読取機構を有するスキャナが接続されている状態のコピー制御装置により表示されるコピー基本操作画面の説明図である。
【図８】原稿サイズ自動読取機構を有するスキャナが接続されている状態のコピー制御装置により表示されるコピー基本操作画面の説明図である。
【図９】原稿サイズ自動読取機構を有するスキャナが接続されている状態のコピー制御装置により表示されるコピー基本操作画面の説明図である。
【図１０】原稿サイズ自動読取機構を有さないスキャナが接続されている状態のコピー制御装置により表示されるコピー基本操作画面の説明図である。
【図１１】原稿サイズ自動読取機構を有するスキャナが接続されている状態のコピー制御装置により表示される出力用紙選択画面の説明図である。
【図１２】原稿サイズ自動読取機構を有さないスキャナが接続されている状態のコピー制御装置により表示される出力用紙選択画面の説明図である。
【図１３】コピー制御装置により表示されるコピー条件登録・読出画面の説明図である。
【符号の説明】
１０  コピーシステム
１１  コピー制御装置
１２  スキャナ
１３  プリンタ
２１  ＣＰＵ
２２  ＲＯＭ
２３  ＲＡＭ
２４  通信制御回路
２５  ＥＥＰＲＯＭ
２６  ＬＣＤ制御回路
２７  入力インタフェース回路
２８  ＬＥＤ駆動回路
３１  タッチスクリーン
３２  テンキー部
３２ａ  スタートボタン
３２ｂ  ストップボタン
３２ｃ  ジョブメモリボタン
３２ｄ  テンキー
３３  発光ダイオード（ＬＥＤ）
３５  液晶ディスプレイ（ＬＣＤ）
３６  接触位置センサ
【図１】
0003601509.tif 000002
【図２】
0003601509.tif 000003
【図３】
0003601509.tif 000004
【図４】
0003601509.tif 000005
【図５】
0003601509.tif 000006
【図６】
0003601509.tif 000007
【図７】
0003601509.tif 000008
【図８】
0003601509.tif 000009
【図９】
0003601509.tif 000010
【図１０】
0003601509.tif 000011
【図１１】
0003601509.tif 000012
【図１２】
0003601509.tif 000013
【図１３】
0003601509.tif 000014